(57)【要約】【課題】簡易な構成により滑り案内装置における移動体の浮き上がりを防止する。【解決手段】基準となる案内面Ｓ２が形成された支持体１２と、潤滑油を介して案内面Ｓ２上を摺動する摺動面Ｓ１が形成された移動体１１とを有する滑り案内装置であって、摺動面Ｓ１に、移動体１１の移動方向に延在する細長の第一の溝１５が形成され、第一の溝１５は、移動体１１の移動時に、移動体１１の移動方向への潤滑油の流れ（矢印Ｂ）を発生させるような深さｔａを有する。【選択図】図３
2011127650.tif 000002
【特許請求の範囲】
【請求項１】
基準となる案内面が形成された支持体と、潤滑油を介して前記案内面上を摺動する摺動面が形成された移動体とを有する滑り案内装置であって、
前記摺動面に、前記移動体の移動方向に延在する第一の溝が形成され、
前記第一の溝は、前記移動体の移動時に、前記移動体の移動方向への潤滑油の流れを発生させるような深さを有することを特徴とする滑り案内装置。
【請求項２】
請求項１に記載の滑り案内装置において、
前記摺動面に、前記第一の溝に連通し、前記移動体の移動方向に対し略垂直方向に延在する複数の第二の溝が形成されている滑り案内装置。
【請求項３】
請求項２に記載の滑り案内装置において、
前記第一の溝は、前記第二の溝よりも深く形成されている滑り案内装置。
【請求項４】
請求項１〜３のいずれか１項に記載の滑り案内装置において、
前記摺動面に潤滑油を供給する供給通路は、前記第一の溝に連通して設けられている滑り案内装置。
【発明の詳細な説明】
【技術分野】
【０００１】
本発明は、潤滑油を介して移動可能に支持された移動体の滑り案内装置に関する。
【背景技術】
【０００２】
工作機械等の分野においては、一般に、ベッド等の支持体に案内面を形成するとともに、テーブル等の移動体に摺動面を形成し、案内面と摺動面の間に潤滑油を供給して支持体上に移動体を滑り移動可能に支持するように案内装置が構成される。この種の案内装置では、移動体が移動するとき、潤滑油の油膜厚さが変動して移動体の端部が浮き上がり、移動体の姿勢が不安定になることがある。
【０００３】
このような移動体の浮き上がりを防止するため、支持体の表面側に、潤滑油が圧入される面圧調整ポケットを形成するとともに、支持体の裏面側に、潤滑油が流入する静圧ポケットを形成し、面圧調整ポケット内の圧油により移動体が浮上しようとする際に、静圧ポケット内の圧油により移動体を浮上方向と反対方向に押圧するようにした装置が知られている（例えば特許文献１参照）。
【先行技術文献】
【特許文献】
【０００４】
【特許文献１】特開２００５−２３８４４２号公報
【発明の概要】
【発明が解決しようとする課題】
【０００５】
しかしながら、上記特許文献１記載の装置は、構成が複雑であり、装置が大型化する。
【課題を解決するための手段】
【０００６】
本発明は、基準となる案内面が形成された支持体と、潤滑油を介して案内面上を摺動する摺動面が形成された移動体とを有する滑り案内装置であって、摺動面に、移動体の移動方向に延在する第一の溝が形成され、第一の溝は、移動体の移動時に、移動体の移動方向への潤滑油の流れを発生させるような深さを有することを特徴とする。
【発明の効果】
【０００７】
本発明によれば、移動体の摺動面に、移動体の移動方向への潤滑油の流れを発生させるような深さを有する第一の溝が形成されるので、簡易な構成により移動体の浮き上がりを防止できる。移動体が移動するとき、後部に溜まった潤滑油はこの第一の溝の深い部分を通って移動方向の前部へ流れ、潤滑油が後部に溜まり、後部の潤滑油の圧力が上がり移動体が浮き上がる現象がなくなる。
【図面の簡単な説明】
【０００８】
【図１】本発明の実施の形態に係る滑り案内装置が適用される工作機械の概略構成を示す図である。
【図２】滑り案内装置の全体構成を示す断面図である。
【図３】本発明の実施の形態に係る滑り案内装置の要部構成を示す拡大断面図である。
【図４】摺動面に設けられた溝の配置を示す図３の矢視IV図である。
【図５】（ａ）は図４のａ−ａ線断面図であり、（ｂ）は図４のｂ−ｂ線断面図である。
【図６】図３の比較例を示す図である。
【図７】図４の変形例を示す図である。
【発明を実施するための形態】
【０００９】
以下、図１〜図７を参照して、本発明による滑り案内装置の実施の形態を説明する。
図１は、本発明の実施の形態に係る滑り案内装置が適用される工作機械の概略構成を示す図であり、一例として立形のマシニングセンタを示している。
【００１０】
ベッド１上にコラム２が立設され、コラム２に主軸頭３が上下方向（Ｚ方向）に昇降可能に支持されている。主軸頭３には下向きに工具４が取り付けられている。ベッド１上には水平方向（Ｙ方向）にスライド可能にサドル５が支持され、サドル５上にはＹ方向と直交する水平方向（Ｘ方向）にスライド可能にテーブル６が支持されている。すなわち、主軸頭３、サドル５およびテーブル６は、滑り案内装置１０により、それぞれコラム２、ベッド１およびサドル５に滑り移動可能に支持されている。この構成により工具４と、テーブル６上に取り付けられたワークＷとは、Ｘ、Ｙ、Ｚ方向に相対移動し、ワークＷが加工される。
【００１１】
図２は、滑り案内装置１０の全体構成を示す断面図である。滑り案内装置１０は、摺動面Ｓ１を有する移動体１１と、摺動面Ｓ１に対向した案内面Ｓ２を有する支持体１２とを備える。移動体１１は、図１の主軸頭３、サドル５又はテーブル６のことであり、支持体１２は、それぞれコラム２、ベッド１又はサドル５のことである。移動体１１と支持体１２は、例えば鋳鉄等の金属を構成材とした鋳造品であり、必要に応じて機械加工されて形成される。移動体１１の下面にはナット部１５が設けられ、ナット部１５に、紙面垂直方向に延在する送りねじ１６が螺合されている。送りねじ１６は、モータにより回転駆動され、これにより移動体１１が案内面Ｓ２上を紙面垂直方向に滑り移動する。
【００１２】
移動体１１には、潤滑油供給孔１４が穿設され、摺動面Ｓ１と案内面Ｓ２に潤滑油が供給される。潤滑油は、粘度が６８ｃｓｔ程度の一般的な摺動面用潤滑油であり、ポンプにより例えば数分毎に数ｍｌづつ供給される。なお、支持体１２の両端部を抱き込むように移動体１１が構成され、移動体１１と支持体１２の各接触面に摺動面Ｓ１と案内面Ｓ２が設けられている。
【００１３】
このような滑り案内装置１０によれば、移動体１１を面全体で滑り移動可能に支持するため、転がり案内装置に比べ高い支持剛性が得られ、負荷能力が大きく、吸振性、耐衝撃性にも優れる。このため、ワークＷを精度よく支持することが必要な工作機械等に用いて好適であり、工作機械に滑り案内装置１０を適用することで、ワーク加工時の負荷変動に拘わらず、ワークＷを精度よく加工することができる。
【００１４】
一方、この種の滑り案内装置１０において、案内面Ｓ２上を高速で移動体１１を移動させると、移動体１１の後部の案内面Ｓ２と摺動面Ｓ１との間に潤滑油が溜まって油膜が厚くなり、移動体１１の端部が浮き上がる現象が生じる。このような移動体１１の浮き上がりは、加工精度に悪影響を与えるおそれがある。これを防止するため、本実施の形態は、以下のように滑り案内装置１０の摺動面Ｓ１に溝加工を施す。
【００１５】
図３は、本発明の実施の形態に係る滑り案内装置１０の要部構成を示す拡大断面図であり、図４は、摺動面Ｓ１の平面図（図３の矢視IV図）である。なお、図３は、図４のIII−III線断面図に相当する。以下では、移動体１１の移動方向である図４のＸ方向を長手方向と呼び、これに直交する図４のＹ方向を幅方向と呼ぶ。
【００１６】
移動体１１の案内面Ｓ２側の表面には、所定厚さｔ０（例えば１ｍｍ程度）の低摩擦摺動材１３が貼付され、低摩擦摺動材１３により摺動面Ｓ１が形成されている。低摩擦摺動材１３は、摩擦係数が小さく耐摩耗性の高い材質により構成すればよく、例えばフッ素樹脂等の樹脂材により構成できる。図示は省略するが、摺動面Ｓ１には潤滑性を保つため、その全範囲にわたって細かい凹凸を形成するきさげ加工又は機械加工が施されている。
【００１７】
摺動面Ｓ１にはその幅方向中央部に、長手方向にかけて延在する細長の第一の溝１５（以下、縦溝と呼ぶ）が形成されている。また、摺動面Ｓ１にはこの縦溝１５に連通して幅方向両側に延在する複数の細長の第二の溝１６（以下、横溝と呼ぶ）が形成されている。潤滑油供給孔１４は、縦溝１５の長手方向中央部に開口している。
【００１８】
図５（ａ）は、縦溝１５の断面図（図４のａ−ａ線断面図）であり、図５（ｂ）は、横溝１６の断面図（図４のｂ−ｂ線断面図）である。図５（ａ）に示すように縦溝１５は、幅ｗａ、深さｔａの矩形状の溝断面を呈し、通常のエンドミルを用いた溝加工により形成される。縦溝１５は、移動体１１を図３の矢印Ａ方向へ移動したときに、図３の矢印Ｂに示すように移動方向への潤滑油の流れを発生させる帰還回路として機能する。このことは、実際の工作機械の移動体には設けないが、実験装置の移動体１１の縦溝１５の移動方向前部および後部にそれぞれ圧力検出器Ｐ１，Ｐ２を取り付け（図３に一点鎖線で示す）、移動中の圧力の変化を観察することによってわかった。
【００１９】
６８ｃｓｔの潤滑油を用いた場合、縦溝１５の深さが３ｍｍのときは、後部の圧力Ｐ２が前部の圧力Ｐ１より大きくなり、潤滑油が縦溝１５の後部に溜まる現象が起きる。縦溝１５の深さが１０ｍｍのときは、後部の圧力Ｐ２と前部の圧力Ｐ１とがほぼ同じ値になり、潤滑油が矢印Ｂに示すように移動方向へ回流することがわかった。縦溝１５をさらに深くした場合、圧力Ｐ２とＰ１とはほぼ同じ値になり、潤滑油の矢印Ｂに示す回流は起きているが、縦溝１５の容積が大きくなり過ぎ、供給される潤滑油が縦溝１５内に収納されるだけで、後述する横溝１６を通って摺動面Ｓ１全体へ行き渡りにくくなるという別の問題が生じる。したがって、縦溝１５の適正な深さｔａは、潤滑油の粘度が６８ｃｓｔの場合は１０ｍｍ程度である。なお、縦溝１５の幅ｗａは、深さｔａよりも狭く、例えば６ｍｍ程度である。
【００２０】
一方、横溝１６は、移動体１１の幅方向に潤滑油を導き、摺動面Ｓ１の全体に油を行き渡らせて潤滑性を高める潤滑回路として機能するものであり、図４に示すように各横溝１６は長手方向ほぼ等間隔に配列されている。横溝１６により少量の油を面全体に行き渡らせるためには、溝深さｔｂは浅く、溝表面部の面積が広い方がよい。このため、図５（ｂ）に示すように横溝１６は、深さ方向にかけて溝幅が徐々に狭くなるように、なだらかな曲面状に形成され、表面部で最大幅Ｗｂ（例えば５ｍｍ程度）となっている。横溝１６の深さｔｂは低摩擦摺動材１３の厚さｔ０よりも浅く、例えば０．５ｍｍ程度もしくはそれ以下とすることが好ましい。なお、摺動面Ｓ１におけるきさげ加工又は機械加工の凹凸の深さは、横溝１６の深さｔｂよりも浅く、例えば０．１２ｍｍである。
【００２１】
潤滑油供給孔１４を介して縦溝１５に潤滑油が供給されると、その潤滑油は横溝１６を介して摺動面Ｓ１の幅方向に流れ、摺動面Ｓ１の全体に行き渡る。このため摺動面Ｓ１と案内面Ｓ２との間の油切れを防止することができ、摺動面Ｓ１の摩擦係数が小さくなり、摺動面Ｓ１の磨耗を抑えることができる。
【００２２】
このとき、移動体１１が案内面Ｓ２上を図３のＡ方向に高速で移動すると、潤滑油は移動体１１の動きに追従せずに縦溝１５内に取り残され、縦溝１５内の移動方向反対側に溜まる。この溜まった潤滑油は、縦溝１５の端壁１５ａに沿って上昇し、図３の矢印Ｂに示すように移動体１１の移動方向へ流れる。これにより縦溝１５内に移動体１１の移動方向への潤滑油の流れが発生し、縦溝１５内の移動方向反対側における油の圧力が減少して、移動体１１の浮き上がりを防止できる。
【００２３】
本実施の形態によれば以下のような作用効果を奏することができる。
（１）移動体１１の摺動面Ｓ１に、移動体１１の移動方向（長手方向）にかけて、移動方向への潤滑油の流れを発生させる帰還回路として機能する細長の縦溝１５を形成したので、簡易な構成により移動体１１の浮き上がりを防止できる。すなわち、例えば図６に示すように、移動体１１の内部に移動方向の帰還回路１５１を形成し、図の矢印Ｂのように帰還回路１５１を介して潤滑油を帰還させる場合に比べ、帰還回路の加工が容易である。
【００２４】
（２）移動体１１の摺動面Ｓ１に、縦溝１５に連通し、幅方向にかけて複数の細長の横溝１６を形成したので、縦溝１５内に供給された潤滑油を摺動面Ｓ１の全面に行き渡らせることができ、摺動面Ｓ１における潤滑性が向上する。
（３）縦溝１５の深さｔａを横溝１６の深さｔｂよりも深くしたので、縦溝１５を帰還回路として機能させることができる。
（４）縦溝１５を溝断面が略矩形状となるように形成したので、通常のエンドミルを用いて縦溝１５を加工することができ、溝加工が容易である。
（５）横溝１６を深さ方向にかけて溝幅が徐々に狭くなるように形成したので、案内面Ｓ２に接する油溝の面積が増大し、摺動抵抗を低減できる。
（６）潤滑油供給孔１４を縦溝１５に連通して設けたので、供給された潤滑油は一旦縦溝１５内に収容され、収容された潤滑油は横溝１６を通って徐々に摺動面Ｓ１へ行き渡らせることができる。
【００２５】
なお、上記実施の形態（図４）では、移動体１１の摺動面Ｓ１に単一の縦溝１５（第一の溝）を形成するとともに、縦溝１５に連通して複数の横溝１６（第二の溝）を形成したが、第一の溝と第二の溝の配置はこれに限らない。例えば図７（ａ）に示すように、摺動面Ｓ１に複数の縦溝１５を形成し、各縦溝１５に複数の横溝１６を連通するとともに、中央の縦溝１５に潤滑油供給孔１４を連通するようしてもよい。また、図７（ｂ）に示すように、一対の横溝１６と、この横溝１６と同一深さの一対の溝１５２とにより、摺動面Ｓ１の全体を囲むように溝を形成してもよい。横溝１６を省略し、単一もしくは複数の縦溝１５のみを摺動面Ｓ１に加工してもよい。
【００２６】
移動体１１の移動時に、移動体１１の移動方向への潤滑油の流れを発生させるような深さｔａを有するのであれば、縦溝１５の形状は上述したものに限らない。また、縦溝１５に連通し、移動体１１の移動方向に対し略垂直方向に延在するのであれば、横溝１６の形状は上述したものに限らない。溝形状は直線状でなく、曲線状であってもよい。摺動面Ｓ１に潤滑油を供給する潤滑油供給孔１４を縦溝１５に連通して設けたが、供給通路を他の位置に設けてもよい。
【００２７】
以上では、立形のマシニングセンタに滑り案内装置１０を適用した例を説明したが、横形のマシニングセンタや他の工作機械にも本発明による滑り案内装置を同様に適用可能である。また、高い支持剛性を必要とする他の機械（例えば材料試験機や各種計測器等）にも同様に適用可能である。
【符号の説明】
【００２８】
１０    滑り案内装置
１１    移動体
１２    支持体
１４    潤滑油供給孔
１５    縦溝（第一の溝）
１６    横溝（第二の溝）
【図１】
2011127650.tif 000003
【図２】
2011127650.tif 000004
【図３】
2011127650.tif 000005
【図４】
2011127650.tif 000006
【図５】
2011127650.tif 000007
【図６】
2011127650.tif 000008
【図７】
2011127650.tif 000009